(57)【要約】      （修正有）【課題】屋外または屋内プールの水を塩素系消毒剤の使用を減少しながらまたは使用しないで浄化するとともに、プール水を完全にリサイクルし節水する方法を提供する。【解決手段】光触媒物質および抗菌ゼオライトを用いて、人体から排出される体液物などの有害物を浄化するとともに、大腸菌やレジオネラ菌などの有害菌の除去および発生防止を行うことにより、塩素系消毒剤の使用量を減少または使用せずに、プール水を完全に循環再利用して節水する。【選択図】図１
2007051520.tif 000002
【特許請求の範囲】
【請求項１】
有害物の浄化および有害菌の除去と発生を防止するエコ・プールシステム方法。
【請求項２】
請求項１の物に、有害物の浄化および有害菌の除去と発生を防止する光触媒を用いた方法。
【請求項３】
請求項１の物に、有害菌の除去と発生を防止する抗菌型ゼオライトを用いた方法。
【請求項４】
請求項１の物に、効果を高めるために紫外線ランプまたは可視光線ランプを用いた方法。
【請求項５】
請求項１に、プールの有害物や有害菌を除去する触媒をコーディングする方法。
【請求項６】
プール水の取り替えを少なく、または完全にリサイクルする方法。
【発明の詳細な説明】
【技術分野】
【０００１】  屋外または屋内プールの水を塩素消毒を減少させる方法もしくは塩素消毒を用いないでプールの人体から排出される体液物など有害物の浄化および大腸菌やレジオネラ菌などの有害菌の除去または発生を阻止するエコ・プールシステムの製造方法に関する。【０００２】  体液物や嫌な臭いの元などの有害物を、陽イオン交換能を担持したことからなる抗菌性ゼオライトを用いて、急速吸着除去し水浄化させたことを特徴とする設備の製造方法。【０００３】  大腸菌やレジオネラ菌などの有害菌を触媒を用いて除去または発生を阻止することを特徴とする設備の製造方法。
［技術背景］【０００４】  現在、プールの有害物や有害菌の除去には塩素消毒剤を用いて除去し、浮遊物などは活性炭などで除去処理している設備である。【０００５】  土日や祭日や夏季などには、プール使用者が多くなるため、これに伴いプールの汚れも多くなり、体液物や有害菌の発生も必然的に多くなってきます。このため、これらの体液物や有害菌の発生を防止するために、用いる塩素消毒剤の量は必然的に多くなっている設備方式である。【０００６】  塩素消毒剤の量が多くなってくることから、塩素特有の嫌な臭いがするため、水泳者は不快感を生ずるようになっている。このような現状の課題の改善が強く求められている。
［発明の開示］
［発明が解決しようとする課題］【０００７】  塩素消毒剤を極力用いずに、または使用ぜずにプールの水浄化を行い、健康に優しいエコプールシステムを提供する。【０００８】  また、エコプールシステムにより、プールの取り替える水を少なくする。またはプールの水を完全にリサイクルする。【０００９】  プールの取り換え水を少なくすることにより、環境への低負荷と経費節減を行う。
［課題を解決するための手段］【００１０】  前述の課題を解決するため請求項１の発明は、エコ・プールシステムとして、塩素消毒剤を極力使用せずに行う方法であり（図１のとおり）、現用設備にあっては、従来の設備構成の基本仕様を変えることなく、一部の設備を挿入付加するものである。【００１１】  挿入付加する設備として、大腸菌やレジオネラ菌などの有害菌の除去または発生を阻止する光触媒装置を設置する。（図１の２のとおり）【００１２】  他に、大腸菌やレジオネラ菌など有害菌の除去と発生の防止と体液物など浮遊物を吸着する抗菌ゼオライトを設置する。この装置は現用の活性炭を入れてある装置を混用することも可能である。（図１の３のとおり、または図２の３のとおり）【００１３】  前述の機能に加えて、さらにエコ・プールシステムの機能を向上させるために、水槽全体のコンクリートの表面に光触媒をコーデング、または、塗料に、またはラバーを用いる場合は、ラバーの表面に光触媒をコーディングし、光触媒の触媒作用により有害物や有害菌の除去または発生を阻止する。
［発明の効果］【００１４】  本発明により、塩素消毒剤を極力使用せず、または完全に使用しない場合は、プールを使用する方々にとっては健康に優しいプール環境とすることができる。【００１５】  エコ・プールシステムにより使用するプール水の取り替えの減少または完全リサイクルすることができることから、公共の上水道水使用時にあっては、プール水取り替えに必要とする公共の上水道水の節水になり、また、下水道への放流水の減少となり、共に公共の経費節減になります。プール経営事業者にとっても経費削減につなげることができることから、環境に配慮したエコ・プールの経営となる。
［発明を実施するための最良の形態］【００１６】  請求項１の発明について、図１について説明する。１のプール槽から使用後の水が送出されて、２の光触媒水槽に流入され、光触媒により有機物の分解や有害菌の分解除去および発生を阻止する。【００１７】  ２の光触媒水槽について、水槽の材質は太陽光がよく透過する材質である強化ガラスが好ましく、設置場所は太陽光がよく当り、光触媒効果が最大限に発揮される場所が好ましく、屋内設置の場合などの時は、光触媒が効果的に反応促進させるために、光触媒が反応するバンドギャップ以上の太陽光の紫外線の不足部分を補うために、紫外線ランプや可視光線ランプまたは赤外線ランプで反応する光触媒資材を用いる。光触媒が反応することによりＯ−ＨラジカルやスーパーオキサイドアニオンＯ２−などの活性酸素を生成することから、また、有機化合物の分解により炭素（Ｃ）や水素（Ｈ）の分解を行うことから、炭酸ガスや水が発生するので水槽は通気性ある物とする。（図４のとおり）光触媒水槽で浄化された水は次工程３へと流出していきます。（図１の３または図２の３のとおり）【００１８】  請求項２の発明について、酸化チタン（ＴｉＯ２）を用いた光触媒により、人体の体液物など有機有害物の分解浄化および大腸菌やレジオネラ菌などの有害菌の分解除去と発生を防止する。用いる酸化チタンの種類は、紫外線および可視光線および赤外線まで幅広く反応する物がこのましい。太陽光が燦々と照り付ける設置場所が好ましく光触媒の反応が効果的に行われ、有害物や有害菌の分解除去が促進されます。また、用いる光触媒の形状については、水槽については太陽光が最も効果的に受光できるもので、太陽光が水槽の底部まで届くような物とすることが好ましい。水槽に入れる光触媒物質の水との比重は０．９５乃至１．１程度の範囲の物が混合しあい、僅かな力が加わることにより光触媒物質が流動しあうものが、光触媒反応が促進されます。水槽に入れる光触媒物質の量について、多く用いると光触媒反応が促進され浄化が速やかに、処理量が多くなります。その使用量は適宜調整して用います。【００１９】  請求項３の発明について、主として廃棄物または未利用物から製造されるゼオライトを用いて、光触媒の効果と相乗させて、大腸菌やレジオネラ菌など有害菌の除去と発生を防止するものです。用いるゼオライトの型は有害菌の発生抑制や発生疎外に効果が高い銀型または銅型とします。ゼオライトのイオン交換能（ＣＥＣ）は高いほど効果が良く出ることから好ましい。また、ゼオライトはいろいろな物をイオン交換できることから、体液物を吸着することができます。ゼオライトの機能は半永久に持続するので、清水で洗浄し乾燥させたものは何度でも使用可能である。粉末のゼオライトの使い勝ってを向上させた数ミリ乃至数十ミリ程度の造粒物を用いた物が好ましい。【００２０】  請求項４の発明について、光触媒反応を効果的に反応しない場所や期間の場合は、反応を効果的に促進させるために紫外線ランプや可視光線ランプを設置し、とくに、太陽光が少ない地域や雪国にあってはランプの設置は必要になります。【００２１】  請求項５の発明について、請求項１から４の効果をより効果的にするため、プール本体内面に、光触媒をコンクリート部分または塗料に混合含浸させた物を全面的にコーディングすることにより光触媒反応がおこなわれ、プール内の大腸菌やレジオネラ菌などの有害物や有害菌を除去し水浄化することができます。結果として、プール水全体の浄化につなげることができます。【００２２】  請求項６の発明について、請求項１から５の方法により構成されたプールシステムは、大腸菌やレジオネラ菌などの有害物および有害菌の除去や発生を防止することができることから、塩素系消毒剤を減少または、使用しないことができることからプール水の取り替えを減少または取り替えをせずに完全リサイクルすることができます。同時に、本発明のシステムは人に環境に優しいエコ・プールシステムです。
［作用］【００２３】  本発明による光触媒物質の使用方法は、いろいろな有害物を酸素や水素や炭素などに分解して無害物にすることができます。また、大腸菌やレジオネラ菌などの有害菌も除去または発生を防止することができます。【００２４】  また、抗菌型ゼオライトである、銀型ゼオライト、銅型ゼオライトを使用したことにより、光触媒の効果と相乗して、大腸菌やレジオネラ菌などの有害菌も除去または発生を防止することができます。【００２５】  光触媒物質および抗菌ゼオライトを用いることにより、従来までの塩素系消毒剤を減少または使用せずにプールを稼働することができます。
［産業上の利用可能性］【００２６】  本発明のエコ・プールシステムは、資源は豊富に存在する。また、本発明は塩素系消毒剤を減少または用いないプールは健康や環境に優しく、また、公共の上水道や下水道の節減につなげることができ、需要があることから産業上の利用可能性は多いにあります。
【図面の簡単な説明】
【００２７】［図１］
従来の設備構成に光触媒を用いた装置およびゼオライトを用いた装置を新しくそれぞれ単独に挿入した方法の全体システムである。
［図２］
従来の設備構成に光触媒を用いた装置、水槽の単独に挿入、ゼオライトは現用の瀘過剤に混合方法のシステム図である。
［図３］
従来の設備構成に光触媒を用いた装置、水槽の単独に挿入、ゼオライトは現用の瀘過剤に混合または瀘過器の一部をゼオライト専用室を設ける方法のシステム図である。
［図４］
光触媒物質を用いた装置、水槽の全体図である。
［図５］
ゼオライト物質を用いた単独装置、水槽の全体図である。
［図６］
ゼオライト物質を瀘過剤と混合併用した装置、水槽の全体図である。
［図７］
ゼオライト物質を活性炭が入っているタンクの一部を、ゼオライト専用室とした場合の装置、水槽の全体図である。
【符号の説明】
［図１］
１．プール本体。
２．光触媒反応槽。
３．ゼオライト反応槽。
４．浮揚物やデトリタスなどの瀘過器。
５．塩素剤注入装置。
［図２］
１．プール本体。
２．光触媒反応槽。
３．瀘過器を一部改造しゼオライトを挿入した浄化器。
４．塩素剤注入装置。
［図３］
１．光触媒物質をコーディングした強化ガラス装置、単独水槽の全体図である。
２．光触媒。
３．瀘過器を一部改造しゼオライトを挿入した浄化器。
４．塩素剤注入装置。
［図４］
１．光触媒反応槽。
２．酸化チタン光触媒。
３．エアーポンプ。
４．エアー送出パイプ。
５．プール水の流入
６．有害物および有害菌を除去した浄化プール水の送出。
［図５］
１．ゼオライト装置、単独水槽。
２．ゼオライト。
３．エアーポンプ。
４．エアー送出パイプ。
５．光触媒槽より有害物および有害菌を除去した浄化プール水の流入
６．浄化プール水の送出。
［図６］
１．ゼオライト物質を瀘過剤と混合併用した装置、水槽。
２．瀘過剤などの瀘過物とゼオライトの混合。
３．瀘過剤などの瀘過物。
［図７］
１．ゼオライト物質を瀘過剤が入っているタンクの一部を、ゼオライト専用室とした場合の装置、水槽。
２．瀘過剤などの瀘過物。
３．ゼオライト。
【図１】
2007051520.tif 000003
【図２】
2007051520.tif 000004
【図３】
2007051520.tif 000005
【図４】
2007051520.tif 000006
【図５】
2007051520.tif 000007
【図６】
2007051520.tif 000008
【図７】
2007051520.tif 000009